(57)【要約】      （修正有）【課題】材量を削減し、製造・組立て施工工程を簡便にすることにより、全体的にコスト安にし、かつ、使用目的範囲をより多様化したつる巻き植物の植木鉢を提供する。【解決手段】平面的渦巻き体の最外側一周囲内に複数の止具３・４を、かつ、最内側一周囲内に中心部で接合する複数の放射状桟７を一体成形し、その下部を鉢１１に、上部を垂直支柱１６にそれぞれ連結して立体的螺旋体１７を形成したつる巻き植物の植木鉢を構成する。【選択図】図３
0003119749.tif 000002
【実用新案登録請求の範囲】
【請求項１】
平面的渦巻き体（１）の最内側一周囲（５）内に、互いに中心部（６）で接合する複数の放射状桟（７）・（８）・（９）を一体成形し、該平面的渦巻き体（１）の最外側一周囲（２）内を鉢（１１）の周縁（１２）に設定するとともに、鉢（１１）の中央部に直立埋設した垂直支柱（１６）に前記中心部（６）を設定することにより、平面的渦巻き体（１）を立体的螺旋体（１７）に形成したつる巻き植物の植木鉢。
【請求項２】
平面的渦巻き体（１）の最内側一周囲（５）内に、互いに中心部（６）で接合する複数の放射状桟（７）・（８）・（９）を、また、前記中心部（６）から下向きに突出する脚
（１０）を、並びに最外側一周囲（２）内に複数の下向き止具（３）・（４）をそれぞれ一体成形し、かつ、鉢（１１）の周縁（１２）に穿った複数の穴（１３）・（１４）に前記止具（３）・（４）を設定するとともに、鉢（１１）の中央部に直立埋設した垂直支柱（１６）に前記脚（１０）を設定することにより、平面的渦巻き体（１）を立体的螺旋体（１７）に形成したつる巻き植物の植木鉢。
【考案の詳細な説明】
【技術分野】
【０００１】
本考案は、つる巻き植物の植木鉢に関する。
【背景技術】
【０００２】
従来、つる巻き植物の植木鉢に関しては、数本の棒体と数個の輪状横梁との噛合組合せによってビヤ樽形骨格に成した鉢用支柱が知られている（例えば、特許文献１参照。）。
【０００３】
さらに、二つの半枠骨格体を相互に相対向して噛合することにより、前記ビヤ樽形骨格に成した植木鉢用支柱も開示されている（例えば、特許文献２参照。）。
【０００４】
【特許文献１】実用新案登録第２５０３２７９号公報
【特許文献２】特許第３３８８３４９号公報
【考案の開示】
【考案が解決しようとする課題】
【０００５】
前記従来技術にあっては、その独特の構成からして独特の効果が大いに発揮され、十分にその目的を達成し産業の発展に大きく寄与してきたところである。
【０００６】
しかしながら、特許文献１記載の考案及び特許文献２記載の発明にあっては、何れも多量の材料を費やすとともに、製造・組立て及び施工におけるコスト面において僅かながら問題点があることは否めない。
【０００７】
本考案は、上記問題点に鑑みて更なるコスト削減することと、昨今のガーデニングの盛栄に伴って需要者の多方面にわたる利便性の向上を図ることを目的として開発したものである。
【課題を解決するための手段】
【０００８】
而して、前記課題を解決し、かつ、その目的を達成すべき本考案の要旨とするところは、平面的渦巻き体の最内側一周囲内に、互いに中心部で接合する複数の放射状桟を一体成形し、該平面的渦巻き体の最外側一周囲内を鉢の周縁に設定するとともに、鉢の中央部に直立設定した垂直支柱に前記中央部を設定することにより、平面的渦巻き体を立体的螺旋体に形成したつる巻き植物の植木鉢を提供するにある。
【０００９】
本考案の構成によると、立体的螺旋体の下部は最外側一周囲内において鉢の周縁部に固定され、上部は最内側一周囲内において複数の放射状桟と垂直支柱で拘束される。したがって、立体的螺旋体の最外側一周囲内と最内側一周囲内は水平状態を保つとともに、立体的螺旋体は垂直支柱を中心として常に垂直状態を維持する。
【００１０】
そして、つる巻き植物のつるはその生長に伴って立体的螺旋体の螺旋に沿って、しかも、該螺旋を巻き付けながら上部に向かい、葉や枝は該螺旋内に沿って拘束される。
【００１１】
また、立体的螺旋体の最外側一周囲内と鉢の周縁が固定されているので、螺旋体の一部を係止することにより植木鉢全体を吊り下げる機能を有する。
【考案の効果】
【００１２】
本考案は平面的渦巻き体を製造するだけで構成できる。したがって、材量が頗る削減でき製造や組立て施工も簡便であるから、全体的にコスト安に大きく寄与することができる。
【００１３】
また、外観的にも美感を有し、かつ、立体的螺旋体は常に垂直状態を維持し傾くことはない。しかも、植木鉢を吊設できるので多様な使用範囲に適用できる。
【考案を実施するための最良の形態】
【００１４】
次に、本考案の実施形態について図面を参照しつつ説明する。なお、図１は本考案における平面的渦巻き体の平面図、図２は同じく正面図、図３は本考案の一実施態様の説明的縦断正面図である。
【００１５】
すなわち、本考案は平面的渦巻き体１の最外側一周囲２内に複数の下向き止具３・４を、また、最内側一周囲５内に互いに中心部６で接合する複数の放射状桟７・８・９を、並びに前記中心部６から下向きに突出する脚１０をそれぞれ一体成形し、かつ、鉢１１の周縁１２に穿った複数の穴１３・１４に前記止具３・４を嵌合するとともに、鉢１１の中央部に土１５によって直立埋設した垂直支柱１６に前記脚１０を連結することにより、平面的渦巻き体１を立体的螺旋体１７に形成したつる巻き植物の植木鉢を構成したものである。
【００１６】
そして、平面的螺旋体１の表面に凹凸状やヤスリ状の加工処理を施すことにより、立体的螺旋体１７につるの巻き付けを強固にすることができる。
【実施例】
【００１７】
平面的渦巻き体１を中実丸棒として合成樹脂材を用いて鋳型で一体成形した。このとき、最内側一周囲５内に１２０度の間隔をおいて互いに中心部６に向かう放射状桟７・８・９を３本形成した。
【００１８】
また、中心部６から下方に向く脚１０の形状は僅かにテーパー１８を付した。
【００１９】
さらに、止具３・４は最外側一周囲２内の対蹠点、つまり、１８０度の位置に対向して２個設けた。なお、垂直支柱１６は既存の合成樹脂製のパイプを適宜長に切断して適用した。
【００２０】
そして、鉢１１の周縁１２に穿った穴１３・１４は互いの対蹠点、つまり、１８０度の位置に対向して設け、該穴１３・１４に前記止具３・４を押し込む際に爪１９・２０が圧縮し、穴３・４を通過すると該爪１９・２０が元に戻って連結固定した。
【００２１】
また、鉢１１の中央に直立する垂直支柱１６に脚１０を嵌め込んで設定した。鉢１１に対して垂直支柱１６は直立性を保ち、かつ、立体的螺旋体１７は上部において最内側一周囲５の放射状桟７・８・９で中心部６に拘束される範囲で、また、下部においては最外側一周囲２内の止具３・４で拘束される範囲でそれぞれ水平性を保ち、頗る安定性の高いつる巻き植物の植木鉢が得られた。
【図面の簡単な説明】
【００２２】
【図１】本考案に係る平面的渦巻き体の一実施例を示す平面図。
【図２】本考案に係る平面的渦巻き体の一実施例を示す正面図。
【図３】本考案に係るつる巻き植物の植木鉢の一実施態様を示す説明的縦断正面図。
【符号の説明】
【００２３】
１  平面的渦巻き体。
２  最外側一周囲。
３  止具。
４  止具。
５  最内側一周囲。
６  中心部。
７  放射状桟。
８  放射状桟。
９  放射状桟。
１０  脚。
１１  鉢。
１２  周縁。
１３  穴。
１４  穴。
１６  垂直支柱。
１７  立体的螺旋体。
【図１】
0003119749.tif 000003
【図２】
0003119749.tif 000004
【図３】
0003119749.tif 000005